(57)【要約】【課題】柵部材の剛性を保って柵部材の多様性を円滑に図り、かつ脚部を設けた際の見栄えを良好に保ち得るペットゲートを提供する。【解決手段】左右の縦杆と上下の横杆とからなる枠体を備えた２つの柵部材を略直線状に繋げたペットゲートにおいて、ペットゲート本体の左右両端に脚部を設ける。脚部は、各柵部材の互いに離反する縦杆の外端面に取り付けた脚片支持体４１と、脚片支持体４１の表裏両面の下端に固定具５を介して取り付けた脚片４２とを備える。固定具５は、脚片支持体４１に基端が螺着されて突出する突出部５１１が脚片４２の第１凹部４２２内に挿通される螺子部材５１と、脚片４２の直交面４２３より挿通され、第１凹部４２２内に挿通された螺子部材５１の突出部５１１を係合して拘束する係合部５２２を有する拘束部材５２とを備える。脚片支持体４１の表裏両面に基端が螺着された各螺子部材５１の突出部５１１は、互いに同一軸線上に位置する。【選択図】図６
2015047092.tif 000002
【特許請求の範囲】
【請求項１】
断面略矩形状の左右の縦杆とこれらの縦杆の上下両端をそれぞれ連結する断面略矩形状の上下の横杆とからなる枠体を備えた複数枚の柵部材を略直線状に繋げて起立状態で用いることでペットの侵入を規制するようにしたペットゲートであって、
前記柵部材を複数枚繋げたペットゲート本体の左右両端には、それぞれ脚部が設けられており、
前記各脚部は、
前記ペットゲート本体の左右両端にそれぞれ対応する各柵部材の縦杆の外端面に取り付けられた断面略矩形状の脚片支持体と、
前記脚片支持体の表裏両面の下端に対しそれぞれ着脱自在な固定具を介して取り付けられ、左右方向の寸法を脚片支持体の左右方向の寸法と一致させた状態で底面が床面に添って前記脚片支持体の表裏方向へ延びる脚片と、
を備え、
前記固定具は、前記脚片支持体に基端が螺着されて突出し、かつ前記脚片の基端面に凹設された凹部内に先端側の突出部が挿通される螺子部材と、前記脚片の基端面と直交する直交面より挿通され、前記凹部内に挿通された螺子部材の突出部を係合して拘束する係合部を有する拘束部材と、を備えているとともに、
前記螺子部材の突出部は、前記脚片支持体の表裏両面にそれぞれ基端が螺着された状態で互いに同一軸線上に位置していることを特徴とするペットゲート。
【請求項２】
前記各柵部材の横杆には、当該各柵部材の一部分同士を表裏方向で重ね合わせた状態で連結する連結手段が設けられている請求項１に記載のペットゲート。
【請求項３】
前記脚片支持体は、その表裏方向の寸法が前記縦杆の表裏方向の寸法の略２倍に設定され、前記縦杆の左右方向外端面に対し当該脚片支持体及び縦杆の表裏方向一側端同士を互いに一致させた状態で取り付けられている請求項２に記載のペットゲート。
【請求項４】
前記脚部は、前記各柵部材の互いに隣接する縦杆同士の間に設けられている請求項１〜請求項３のいずれか１つに記載のペットゲート。
【請求項５】
前記各柵部材のうちの１枚の柵部材としては、前記左右の縦杆とこれらの縦杆の上下両端のうちの少なくとも下端を連結する前記横杆とこれらの各杆により形成された出入口を開閉する扉とを備えた出入口用柵部材が適用されている請求項１〜請求項４のいずれか１つに記載のペット用サークル。
【発明の詳細な説明】
【技術分野】
【０００１】
本発明は、家屋内で犬等のペットの行き来を遮断するペットゲートに関する。
【背景技術】
【０００２】
従来より、この種のペットゲートとしては、犬等のペットを家屋内の一定の場所に入れておくための組み立て式のペット用サークルを用い、ゲート状に組み合わせたものが知られている（特許文献１参照）。このものでは、断面略矩形状の左右の縦杆とこれらの縦杆の上下両端同士を連結する断面略矩形状の横杆とを有する枠体を備えた複数枚の柵部材が用いられている。そして、ペットの行き来を遮断するペットゲートとして用いる場合には、複数枚の柵部材を略直線状に繋げてペットゲート本体を形成し、このペットゲート本体の左右両端に残る柵部材の左右方向略中央部を締結具によりそれぞれ固定して起立状態で用いる。
【０００３】
しかし、前記従来のものでは、ペットゲート本体の左右両端に柵部材の左右方向略中央部がそれぞれ固定されているため、ペット用サークルの柵部材を流用して安価にペットゲートを作成できるものの、家屋内で使用するには非常に嵩張ってしまい、使い勝手が悪いものとなる。
【０００４】
そこで、ペットゲート本体の左右両端の下端に、表裏方向に貫通する左右一対の貫通孔を設けてそれぞれボルト状の固定具を挿通し、ペットゲート本体の左右両面より底面が床面に添って各柵部材の表裏方向へ延びる専用の脚部をそれぞれ取り付けることが考えられる。
【先行技術文献】
【特許文献】
【０００５】
【特許文献１】特開２００７−１８９９３８号公報
【発明の概要】
【発明が解決しようとする課題】
【０００６】
ところが、上述のものでは、ペットゲート本体の左右方向端の下端に固定具を挿通するための左右一対の貫通孔を並設する必要があり、表裏両側の脚部が左右方向に段違いで取り付けられることになる。しかも、取付孔に挿通された固定具の頭部が柵部材の縦杆の表裏両面で脚部に隣接して露呈してしまう。このため、脚部を設けた際にペットゲートの見栄えが非常に悪いものとなる。
更に、脚部を設けるに当たり、柵部材の縦杆に左右一対の取付孔を設ける必要があり、ペット用サークルの柵部材として利用する際に不要な一対の取付孔によって枠体の剛性が著しく低下する。このため、ペット用サークル及びペットゲートとして利用可能な柵部材の多様性を図る上で不利なものとなる。
【０００７】
本発明はかかる点に鑑みてなされたものであり、その目的とするところは、柵部材の剛性を保って柵部材の多様性を円滑に図りつつ、脚部を設けた際の見栄えを良好に保つことができるペットゲートを提供することにある。
【課題を解決するための手段】
【０００８】
前記目的を達成するため、本発明では、断面略矩形状の左右の縦杆とこれらの縦杆の上下両端をそれぞれ連結する断面略矩形状の上下の横杆とからなる枠体を備えた複数枚の柵部材を略直線状に繋げて起立状態で用いることでペットの侵入を規制するようにしたペットゲートを前提とし、前記柵部材を複数枚繋げたペットゲート本体の左右両端に、それぞれ脚部を設けている。そして、前記各脚部に、前記ペットゲート本体の左右両端にそれぞれ対応する各柵部材の縦杆の外端面に取り付けられた断面略矩形状の脚片支持体と、前記脚片支持体の表裏両面の下端に対しそれぞれ着脱自在な固定具を介して取り付けられ、左右方向の寸法を脚片支持体の左右方向の寸法と一致させた状態で底面が床面に添って前記脚片支持体の表裏方向へ延びる脚片と、を設ける。更に、前記固定具に、前記脚片支持体に基端が螺着されて突出し、かつ前記脚片の基端面に凹設された凹部内に先端側の突出部が挿通される螺子部材と、前記脚片の基端面と直交する直交面より挿通され、前記凹部内に挿通された螺子部材の突出部を係合して拘束する係合部を有する拘束部材と、を設けている。そして、前記螺子部材の突出部は、前記脚片支持体の表裏両面にそれぞれ基端が螺着された状態で互いに同一軸線上に位置することを特徴としている。
【０００９】
また、前記各柵部材の横杆に、当該各柵部材の一部分同士を表裏方向で重ね合わせた状態で連結する連結手段を設けていてもよい。
【００１０】
また、前記脚片支持体を、その表裏方向の寸法が前記縦杆の表裏方向の寸法の略２倍に設定し、前記縦杆の外端面に対し当該脚片支持体及び縦杆の表裏方向一側端同士を互いに一致させた状態で取り付けていてもよい。
【００１１】
また、前記脚部を、前記各柵部材の互いに隣接する縦杆同士の間に設けていてもよい。
【００１２】
更に、前記各柵部材のうちの１枚の柵部材として、前記左右の縦杆とこれらの縦杆の上下両端のうちの少なくとも下端を連結する前記横杆とこれらの各杆により形成された出入口を開閉する扉とを備えた出入口用柵部材を適用してもよい。
【発明の効果】
【００１３】
以上、要するに、ペットゲート本体の左右両端にそれぞれ対応する各柵部材の縦杆の外端面に脚片支持体を取り付け、その脚片支持体の表裏両面の下端に対し基端が螺着されてそれぞれ同一軸線上に突出する螺子部材の突出部を、脚片の基端面の凹部内に挿通し、脚片の基端面と直交する直交面より挿通された拘束部材の係合部により係合して拘束することで、柵部材の縦杆の表裏両面にボルト状の固定具により脚部を取り付ける際の左右一対の貫通孔が不要となり、表裏両側の脚部が左右方向に段違いとなることがない。その上、貫通孔に挿通された固定具の頭部が柵部材の縦杆の表裏両面で脚部に隣接して露呈することもない。これにより、脚部を設けた際のペットゲートの見栄えを良好に保つことができる。
【００１４】
しかも、ペットゲート本体の左右両端に対応する各柵部材の縦杆の外端面に脚片支持体が取り付けられているので、この脚片支持体を取り付ける上で各柵部材の縦杆に貫通孔を並設する必要がない。その上、脚部が脚片支持体に取り付けられるので、脚部を取り付けるための貫通孔などを各柵部材の縦杆に設ける必要もない。これにより、柵部材の剛性を保って柵部材の多様性を円滑に図ることができる。
【００１５】
また、各柵部材の横杆に、当該各柵部材の一部分同士を表裏方向で重ね合わせた状態で連結する連結手段を設けることで、ペットの侵入を規制する開口部位の幅に応じてペットゲート本体の左右方向の長さを調整することができる。
【００１６】
また、脚片支持体の表裏方向の寸法を縦杆の表裏方向の寸法の略２倍に設定し、縦杆の外端面の表裏方向一側端に対し脚片支持体の表裏方向一側端を一致させた状態で取り付けることで、脚片支持体は縦杆の表裏方向の寸法と一致する寸法分だけ表裏方向他側へ突出することになる。このため、ペットの侵入を規制する開口部位が壁面の中央にある場合などに、一部分同士を表裏方向で重ね合わせた一方の柵部材の縦杆の左右方向外端面に対し表裏方向他側端同士を一致させた状態で脚片支持体が取り付けていても、他方の柵部材の縦杆の左右方向外端面に対し表裏方向一側端同士を一致させた状態で脚片支持体を取り付ければ、この脚片支持体の表裏方向他側への突出部分が壁面に接触し、開口部位に対しペットゲート本体を平行に配置できて見栄えを向上させることができる。
【００１７】
また、脚部を各柵部材の互いに隣接する縦杆同士の間に設けることで、複数枚の柵部材を略直線状に繋げたペットゲート本体が左右方向の途中位置で脚部によって支持され、ペットゲート本体の起立状態を効率よく保持することができる。しかも、各柵部材がそれぞれ脚部を挟んで連結されているので、長尺なペットゲート本体が各柵部材間の脚部によって補強されて柵部材同士の接続強度を高めることができる上、ペットゲート本体の撓みを防止することもできる。
【００１８】
更に、各柵部材のうちの１枚の柵部材として出入口用柵部材を適用することで、ペットの行き来を許容する際にペットゲート本体を移動させる必要がなく、扉の開閉によってペットを簡単に行き来させることができる。
【図面の簡単な説明】
【００１９】
【図１】本発明の第１の実施の形態に係るペットゲートを示す平面図である。
【図２】図１のペットゲートのペットゲート本体を形成する柵部材と脚部との分解斜視図である。
【図３】図１のペットゲートの斜視図である。
【図４】図２の柵部材の斜視図である。
【図５】各柵部材を連結する連結具の分解斜視図である。
【図６】脚片支持体に脚片を取り付ける手順を示す分解斜視図である。
【図７】固定具の拘束部材の斜視図である。
【図８】本発明の第２の実施の形態に係るペットゲートを示す平面図である。
【図９】本発明の第３の実施の形態に係るペットゲートを示す平面図である。
【図１０】本発明の第４の実施の形態に係るペットゲートを示す平面図である。
【図１１】本発明の第５の実施の形態に係るペットゲートを示す平面図である。
【図１２】図１１のペットゲートの斜視図である。
【図１３】図１２のペットゲート本体を形成する出入口用柵部材の斜視図である。
【図１４】第５の実施の形態の変形例に係るペットゲートを示す平面図である。
【図１５】本発明の第６の実施の形態に係るペットゲートを示す平面図である。
【図１６】本発明の第７の実施の形態に係るペットゲートを示す平面図である。
【図１７】本発明の第８の実施の形態に係るペットゲートを示す平面図である。
【図１８】図１７のペットゲートの斜視図である。
【図１９】本発明の第９の実施の形態に係るペットゲートを示す平面図である。
【図２０】本発明の第１０の実施の形態に係るペットゲートを示す平面図である。
【図２１】本発明の第１１の実施の形態に係るペットゲートを示す平面図である。
【図２２】図２１のペットゲートの斜視図である。
【発明を実施するための形態】
【００２０】
以下、本発明の実施の形態を添付した図面により詳細に説明する。
【００２１】
図１は本発明の第１の実施の形態に係るペットゲートを示す平面図、図２はペットゲートのペットゲート本体を形成する柵部材と脚部との分解斜視図、図３はペットゲートの斜視図、図４はペットゲート本体の柵部材の斜視図をそれぞれ示している。
【００２２】
図１〜図３において符号１Ａで示すペットゲートは、木製の枠体２０をそれぞれ備えた２枚の柵部材２，２により構成されている。ペットゲート１Ａは、左右を壁Ｋ１，Ｋ２で仕切られた廊下Ｋに設置されている。この廊下Ｋがペットの侵入を規制する開口部位となる。枠体２０は、図４にも示すように、断面略矩形状の左右の縦杆２２，２２と、これらの縦杆２２，２２の互いに向き合う対向面の上下両端同士をそれぞれ連結する断面略矩形状の上下の横杆２３，２３とからなる。そして、ペットゲート１Ａは、各柵部材２の互いに隣接し合う縦杆２２，２２の外端面同士を突き合わせた状態で直線状に連結して構成されている。各柵部材２の枠体２０は、略矩形枠状に形成され、横杆２３，２３の間を左右方向所定間隔置き（例えば５〜７ｃｍ置き）に上下方向に連結する柵棒体２４，２４，…を備えている。この場合、各柵部材２としては、例えば特開２０１０−２２２６５号公報などに開示された公知のペット用サークルの柵部材が流用されている。
【００２３】
図５は各柵部材２を連結する連結具の分解斜視図を示している。この図６において、ペットゲート本体１０Ａの双方の柵部材２，２は、互いに隣接する縦杆２２，２２の外端面同士をそれぞれ突き合わせた状態で連結具３により連結されている。各柵部材２の上下の横杆２３，２３には、当該各柵部材２を表裏方向（図４では手前奥方向）に貫通する複数の貫通孔２５が等間隔（例えば６ｃｍ間隔）に設けられている。これらの貫通孔２５は、互いに隣接する各棚部材２，２同士を連結する際に用いられる。
【００２４】
連結具３は、ペットゲート本体１０Ａの互いに隣接する各柵部材２の縦杆２２に最も近い貫通孔２５，２５にそれぞれ対応する対応孔３１，３１を長手方向両端部に有する合成樹脂製の長尺材３２を有し、かつこの長尺材３２を当該各柵部材２に亘って締結するように貫通孔２５及び対応孔３１にそれぞれ挿通される締結部材３３を備えている。この締結部材３３は、長さ方向一端に回転操作用フランジ３３１を備えた螺子軸３３２と、長さ方向一端に回転操作用フランジ３３３を有し、かつ螺子軸３３２を螺合可能とする螺子筒３３４とをそれぞれ備えている。そして、締結部材３３は、ペットゲート本体１０Ａの互いに隣接する各柵部材２の縦杆２２に最も近い貫通孔２５に対し長尺材３２の左右方向両端部の対応孔３１，３１をそれぞれ対応させた状態で、各対応孔３１から螺子軸３３２を挿通し、各貫通孔２５から挿通した螺子筒３３４に螺合することで、当該各柵部材２に亘って長尺材３２を締結している。この場合、長尺材３２は、各柵部材２，２の枠体２０の上端に対し当該各枠体２０の表裏方向の厚み未満の間隔、例えば各枠体２０の表裏方向の厚みの略三分の二程度の間隔を存して枠体２０の裏面に取り付けられている。
【００２５】
図６は脚片支持体に脚片を取り付ける手順を示す分解斜視図、図７は固定具の拘束部材の斜視図をそれぞれ示している。図６にも示すように、ペットゲート本体１０Ａの各柵部材２の互いに離反する縦杆２２の外端面には、それぞれ脚部４が設けられている。各脚部４は、各柵部材２の互いに離反する縦杆２２の外端面に取り付けられた断面略矩形状の脚片支持体４１と、この脚片支持体４１の表裏両面の下端に対しそれぞれ着脱自在な固定具５を介して取り付けられ、左右方向の寸法を脚片支持体４１の左右方向の寸法と一致させた状態で底面が床面に添って脚片支持体４１の表裏方向へ延びる脚片４２と、を備えている。この場合、各柵部材２とペットゲート本体１０Ａの左右方向端２１，２１の脚部４とを合わせた左右方向長さが、廊下Ｋの左右の壁Ｋ１，Ｋ２間の寸法と略一致している。
【００２６】
固定具５は、ボルト状の螺子部材５１と拘束部材５２とを備えている。脚片支持体４１の表裏両面には、その表裏両面側でそれぞれ対応する上下一対の凹部４１３が設けられている。この各凹部４１３内には、内周面に雌ねじ部４０１が形成されたナット部材４０がそれぞれ嵌入されている。そして、螺子部材５１は、脚片支持体４１の表裏両面側のナット部材４０にそれぞれ基端の雄ねじ部５１０が螺着されて突出する突出部５１１を備えている。この突出部５１１は、脚片４２の基端面４２１に凹設された第１凹部４２２内に挿通される。また、突出部５１１の先端には、若干拡径された頭部５１２が一体的に設けられている。一方、拘束部材５２は、脚片４２の基端面４２１と直交する直交面４２３に凹設された第２凹部４２４に挿通されている。この第２凹部４２４は、第１凹部４２２の最深部に側方から連通し、脚片４２の直交面４２３からの拘束部材５２の回転を可能にしている。そして、図７に示すように、拘束部材５２は、第１凹部４２２内に挿通された螺子部材５１の突出部５１１の頭部５１２を係合して拘束する係合部５２１を有している。また、係合部５２１は、拘束部材５２の回転により頭部５１２を係合した状態で案内する一対の案内部５２２を備え、拘束部材５２の回転に伴い頭部５１２を第１凹部４２２の最深部に更に引き込んで螺子部材５１を拘束する。そして、脚片支持体４１の表裏両面の螺子部材５１の突出部５１１は、その脚片支持体４１の表裏両面側の上下のナット部材４０にそれぞれ基端の雄ねじ部５１０が螺着された状態で互いに上下の同一軸線上に位置している。
【００２７】
脚片支持体４１は、その表裏方向の寸法が、縦杆２２の表裏方向の寸法の略２倍に設定されている。縦杆２２の上下両位置には、当該縦杆２２を左右方向へ貫通する貫通孔２２０が設けられている。また、脚片支持体４１には、ペットゲート本体１０Ａの各柵部材２の互いに離反する縦杆２２の外端面（左右方向外端面）に対し、当該脚片支持体４１及び縦杆２２の表裏方向一側端同士を互いに一致させた状態で、縦杆２２の貫通孔２２０にそれぞれ対応する貫通孔４１０が上下両位置に設けられている。そして、脚片支持体４１は、各柵部材２の互いに離反する縦杆２２，２２の外端面に対し当該脚片支持体４１及び縦杆２２の表裏方向一側端同士を互いに一致させた状態で取付具６より取り付けられている。この場合、各貫通孔４１０は、脚片支持体４１及び柵部材２の縦杆２２の表裏方向一側端同士を互いに一致させた際に当該縦杆２２の貫通孔２２０と合致するように、脚片支持体４１の表裏方向一側に位置をずらせて設けられている。
【００２８】
取付具６は、脚片支持体４１の貫通孔４１０及び縦杆２２の貫通孔２２０にそれぞれ挿通される締結部材６１を備えている。この締結部材６１は、長さ方向一端に回転操作用フランジ６２を備えた螺子軸６３と、長さ方向一端に回転操作用フランジ６４を有し、かつ螺子軸６３を螺合可能とする螺子筒６５とをそれぞれ備えている。そして、締結部材６１は、各柵部材２の互いに離反する縦杆２２，２２の外端面に対し、一方の柵部材２（図１では左側）では縦杆２２及び脚片支持体４１の表裏方向表側端（図１では下端）同士を互いに一致させ、他方の柵部材２（図１では右側）では縦杆２２及び脚片支持体４１の表裏方向裏側端（図１では上端）同士を互いに一致させた状態で、脚片支持体４１の貫通孔４１０から螺子軸６３を挿通し、縦杆２２の貫通孔２２０から挿通した螺子筒６５に螺合することで、脚片支持体４１を縦杆２２の外端面に対し取り付けている。この場合、図２では、説明の便宜上、取付具６（締結部材６１、回転操作用フランジ６２、螺子軸６３、回転操作用フランジ６４及び螺子筒６５）を拡大した状態で示している。なお、双方の柵部材２，２において縦杆２２及び脚片支持体４１の表裏方向表側端同士又は表裏方向裏側端同士を互いに一致させた状態で、脚片支持体４１が取り付けられていてもよく、その場合には、柵部材の縦杆より表裏方向へ突出する脚片支持体の突出部分がペットゲート本体の左右双方で同一方向に位置し、ペットゲート本体の見栄えがより向上する。
【００２９】
したがって、本実施の形態では、ペットゲート本体１０Ａの各柵部材２の互いに離反する縦杆２２，２２の外端面にそれぞれ脚片支持体４１を取り付け、その脚片支持体４１の表裏両面の下端の上下のナット部材４０に対し基端が螺着されてそれぞれ上下の同一軸線上に突出する螺子部材５１の突出部５１１が、脚片４２の基端面４２１の第１凹部４２２内に挿通され、脚片４２の直交面４２３の第２凹部４２４より挿通した拘束部材５２の係合部５２１により係合されて拘束されているので、柵部材の縦杆の表裏両面にボルト状の固定具により脚部を取り付ける際の左右一対の貫通孔が不要となり、表裏両側の脚部４が左右方向に段違いとなることがない。その上、貫通孔に挿通された固定具の頭部が柵部材の縦杆の表裏両面で脚部に隣接して露呈することもない。これにより、脚部４を設けた際のペットゲート１Ａの見栄えを良好に保つことができる。
【００３０】
しかも、ペットゲート本体１０Ａの左右両端に対応する各柵部材２の縦杆２２の外端面に脚片支持体４１が取り付けられているので、この脚片支持体４１を取り付ける上で各柵部材２の縦杆２２に貫通孔を並設する必要がない。その上、脚片４２が脚片支持体４１に取り付けられるので、脚部を取り付けるための貫通孔などを各柵部材２の縦杆２２に設ける必要もない。これにより、柵部材２の剛性を保って柵部材２の多様性を円滑に図ることができる。
【００３１】
次に、本発明の第２の実施の形態を図８に基づいて説明する。
【００３２】
図８は本発明の第２の実施の形態に係るペットゲートを示す平面図を示している。この実施の形態では、双方の柵部材２，２の一部分同士を表裏方向で重ね合わせたペットゲートを用いて、廊下Ｋの左右の壁Ｋ１，Ｋ２間の寸法と略一致させている。なお、第１の実施の形態と同一の部分については同じ符号を付してその詳細な説明は省略する。
【００３３】
すなわち、本実施の形態では、図８に示すように、ペットゲート１Ｂのペットゲート本体１０Ｂは、廊下Ｋの左右の壁Ｋ１，Ｋ２間の寸法と略一致させるように双方の柵部材２，２の一部分同士を表裏方向で重ね合わせて構成される。つまり、ペットゲート本体１０Ｂは、一方の柵部材２（図８では右側）の裏面の一部分に他方の柵部材２（図８では左側）の表面の一部分を重ね合わせている。そして、上下の横杆２３，２３の貫通孔２５及び連結具３の締結部材３３（螺子軸３３２及び螺子筒３３４）によって、双方の柵部材２，２の一部分同士を表裏方向で重ね合わせた状態で連結する連結手段が構成されている。
【００３４】
また、各柵部材２の上下の各貫通孔２５は、それぞれ左右方向に等間隔に開口し、双方の柵部材２，２の一部分同士を表裏方向で重ね合わせた際に互いに一致している。そして、締結部材３３は、柵部材２，２の重ね合わせ部分における対角線位置で互いに一致する各貫通孔２５、つまり柵部材２，２の重ね合わせ部分において互いに一致する上側の横杆２３の左右方向一側端の貫通孔２５と上側の横杆２３の左右方向他側端の貫通孔２５とにそれぞれ挿通されて双方の柵部材２，２の一部分同士を連結している。
【００３５】
また、締結部材６１は、各柵部材２の互いに離反する縦杆２２，２２の外端面に対し、一方の柵部材２（図８では左側）では縦杆２２及び脚片支持体４１の表裏方向裏側端（図８では上端）同士を互いに一致させ、他方の柵部材２（図８では右側）では縦杆２２及び脚片支持体４１の表裏方向表側端（図８では下端）同士を互いに一致させた状態で、脚片支持体４１の貫通孔４１０から螺子軸６３を挿通し、縦杆２２の貫通孔２２０から挿通した螺子筒６５に螺合することで、脚片支持体４１を縦杆２２の外端面に対し取り付けている。このとき、一方の柵部材２の脚片支持体４１は、その縦杆２２の表面よりも表裏方向表側（図８では下方）へ突出し、その突出部分が他方の柵部材２の外端面と対峙している。また、他方の柵部材２の脚片支持体４１は、その縦杆２２の裏面よりも表裏方向裏側（図８では上方）へ突出し、その突出部分が一方の柵部材２の外端面と対峙している。
【００３６】
したがって、本実施の形態では、双方の柵部材２，２の横杆２３に、その一部分同士を表裏方向で重ね合わせた状態で連結する連結手段を設けることで、ペットの侵入を規制する開口部位の幅に応じてペットゲート本体１０Ｂの左右方向の長さを調整することができる。
【００３７】
また、脚片支持体４１の表裏方向の寸法を縦杆２２の表裏方向の寸法の略２倍に設定し、各柵部材２の互いに離反する縦杆２２，２２の外端面に対し脚片支持体４１及び縦杆２２の表裏方向表側端同士又は表裏方向裏側端同士を互いに一致させた状態で脚片支持体４１が締結部材６１より取り付けられているので、脚片支持体４１は縦杆２２の表裏方向の寸法と一致する寸法分だけ表裏方向へ突出することになる。
このため、脚片支持体４１の表裏両側の脚片４２がペットゲート本体１０Ｂ（双方の柵部材２，２）の表裏方向へ均等に突出し、ペットゲート１Ｂの表裏方向への倒れ防止を均一に図ることができる。しかも、一方の柵部材２の脚片支持体４１の突出部分が他方の柵部材２の縦杆２２の外端面に、他方の柵部材２の脚片支持体４１の突出部分が一方の柵部材２の縦杆２２の外端面にそれぞれ対峙しているので、双方の柵部材２，２の表裏方向での重ね合わせ部分を拡大させるスライド移動を行った際に脚片支持体４１の突出部分をストッパとして利用することができる。
【００３８】
次に、本発明の第３の実施の形態を図９に基づいて説明する。
【００３９】
図９は本発明の第３の実施の形態に係るペットゲートを示す平面図を示している。この実施の形態では、双方の柵部材２，２の一部分同士を表裏方向で重ね合わせたペットゲートを用いて、廊下Ｋの左右の一方の壁Ｋ１と他方の壁Ｋ２の角部との間でペットの侵入を規制している。なお、前記各実施の形態と同一の部分については同じ符号を付してその詳細な説明は省略する。
【００４０】
すなわち、本実施の形態では、図９に示すように、ペットゲート１Ｃのペットゲート本体１０Ｃは、廊下Ｋの一方の壁Ｋ１と他方の壁Ｋ２の角部よりも部屋Ｒ側に回り込んだ位置との間での寸法と略一致させるように双方の柵部材２，２の一部分同士を表裏方向で重ね合わせて構成される。双方の柵部材２，２は、当該各柵部材２の上下の横杆２３の貫通孔２５に挿通される連結具３の締結部材３３（螺子軸３３２及び螺子筒３３４）によって連結されている。
【００４１】
ペットゲート本体１０Ｃの左右方向端２１，２１の各脚片支持体４１は、各柵部材２の互いに離反する縦杆２２，２２の外端面に対し脚片支持体４１及び縦杆２２の表裏方向裏側端同士（図９では上端同士）を互いに一致させた状態で締結部材６１により取り付けられている。そして、一方の柵部材２（図９では左側）の脚片支持体４１には、その表裏両面に脚片４２がそれぞれ固定具５を介して取り付けられている。一方、他方の柵部材２（図９では右側）の脚片支持体４１には、その表面（図９では下面）にのみ脚片４２が固定具５を介して取り付けられ、裏面（図９では上面）には脚片４２が取り付けられていない。この場合、他方の柵部材２（図９では右側）の脚片支持体４１の裏面には、ナット部材４０に対する雄ねじ部５１０の螺合が解除されて螺子部材５１が取り外されることで突出部５１１は突出していない。
【００４２】
したがって、本実施の形態では、双方の柵部材２，２の一部分同士が表裏方向で重ね合わせた状態で連結されているので、廊下Ｋの一方の壁Ｋ１と他方の壁Ｋ２の角部よりも部屋Ｒ側に回り込んだ位置との間の幅に応じてペットゲート本体１０Ｃの左右方向の長さを調整することができる。
【００４３】
また、各脚片支持体４１が、他方の柵部材２の縦杆２２の外端面に対し脚片支持体４１及び縦杆２２の表裏方向裏側端同士を互いに一致させた状態で取り付けられているので、ペットゲート本体１０Ｃの他方の柵部材２を他方の壁Ｋ２の部屋Ｒ側面に対し平行な状態で密接させることができ、ペットゲート１Ｃの見栄えの向上を図ることができる。
【００４４】
次に、本発明の第４の実施の形態を図１０に基づいて説明する。
【００４５】
図１０は本発明の第４の実施の形態に係るペットゲートを示す平面図を示している。この実施の形態では、各柵部材２の一部分同士を表裏方向で重ね合わせたペットゲートを用いて、廊下Ｋの左右の一方の壁Ｋ１の角部と他方の壁Ｋ２の角部との間でペットの侵入を規制している。なお、前記各実施の形態と同一の部分については同じ符号を付してその詳細な説明は省略する。
【００４６】
すなわち、本実施の形態では、図１０に示すように、ペットゲート１Ｄのペットゲート本体１０Ｄは、廊下Ｋの一方の壁Ｋ１の角部よりも部屋Ｒ側に回り込んだ位置と他方の壁Ｋ２の角部よりも部屋Ｒ側に回り込んだ位置との間での寸法と略一致させるように各柵部材２の一部分同士を表裏方向で重ね合わせた状態で、当該各柵部材２の上下の横杆２３の貫通孔２５に挿通される連結具３の締結部材３３（螺子軸３３２及び螺子筒３３４）によって連結されて構成される。
【００４７】
ペットゲート本体１０Ｄの左右方向端２１，２１の各脚片支持体４１のうち、一方の柵部材２（図１０では左側）の脚片支持体４１は、当該柵部材２の縦杆２２の外端面に対し脚片支持体４１及び縦杆２２の表裏方向裏側端同士（図１０では上端同士）を互いに一致させた状態で締結部材６１により取り付けられている。一方、他方の柵部材２（図１０では右側）の脚片支持体４１は、当該柵部材２の縦杆２２の外端面に対し脚片支持体４１及び縦杆２２の表裏方向表側端同士（図１０では下端同士）を互いに一致させた状態で締結部材６１により取り付けられている。そして、一方の柵部材２の脚片支持体４１の表裏両面には、それぞれ固定具５を介して脚片４２が取り付けられている。また、他方の柵部材２（図１０では右側）の脚片支持体４１の表面（図１０では下面）にのみ固定具５を介して脚片４２が取り付けられ、脚片支持体４１の裏面（図１０では上面）には脚片４２が取り付けられていない。
【００４８】
したがって、本実施の形態では、各柵部材２の一部分同士が表裏方向で重ね合わせた状態で連結されているので、廊下Ｋの一方の壁Ｋ１の角部よりも部屋Ｒ側に回り込んだ位置と他方の壁Ｋ２の角部よりも部屋Ｒ側に回り込んだ位置との間の幅に応じてペットゲート本体１０Ｄの左右方向の長さを調整することができる。
【００４９】
また、脚片支持体４１が、他方の柵部材２の縦杆２２の外端面に対し脚片支持体４１及び縦杆２２の表裏方向表側端同士を互いに一致させた状態で取り付けられているので、廊下Ｋの一方の壁Ｋ１の角部よりも部屋Ｒ側に回り込む一方の柵部材２の表裏方向の厚み分が、その厚み分だけ他方の柵部材２の縦杆２２の裏面よりも表裏方向他側へ突出する脚片支持体４１によって吸収される。このため、ペットゲート本体１０Ｄの双方の柵部材２，２を壁Ｋ１，Ｋ２の部屋Ｒ側面に対し平行な状態で配置することができ、ペットゲート１Ｄの見栄えの向上を図ることができる。
【００５０】
次に、本発明の第５の実施の形態を図１１〜図１３に基づいて説明する。
【００５１】
図１１は本発明の第５の実施の形態に係るペットゲートを示す平面図、図１２はペットゲートの斜視図、図１３はペットゲート本体を形成する出入口用柵部材の斜視図をそれぞれ示している。この実施の形態では、他方の柵部材２に代えて出入口用柵部材を適用している。なお、前記各実施の形態と同一の部分については同じ符号を付してその詳細な説明は省略する。
【００５２】
すなわち、本実施の形態では、図１１及び図１２に示すように、ペットゲート１Ｅのペットゲート本体１０Ｅは、左右を壁Ｋ１，Ｋ２で仕切られた廊下Ｋに設置されている。ペットゲート本体１０Ｅは、柵部材２と出入口用柵部材７とからなる。
【００５３】
出入口用柵部材７は、図１３にも示すように、左右の縦杆７２，７２とこれらの縦杆７２の互いに向き合う対向面の下端同士を連結する横杆７３とからなる略コの字状の枠体７０を備え、この枠体７０の外形寸法は柵部材２の枠体２０の外形寸法と一致している。また、出入口用柵部材７は、左右の縦杆７２，７２及び単一の横杆７３により形成された出入口７８を開閉する扉７９を備えている。更に、出入口用柵部材７は、その各縦杆７２が柵部材２の縦杆２２よりも幅広（例えば縦杆２２の略２倍の左右方向幅）に形成されている。また、扉７９は、一方の縦杆７２（図１１及び図１２では右側の縦杆）にヒンジ金具（図示せず）を介して揺動自由に支持されている。この扉７９は、矩形枠状に形成され、その枠内にも柵棒体２４，２４，…を備えている。なお、符号７１はペットゲート本体１０Ｅの出入口用柵部材７側の左右方向端である。
【００５４】
出入口用柵部材７の左右の横杆７３，７３の上下両端には、柵部材２の貫通孔２５に対応して出入口用柵部材７を表裏方向（図１３では手前奥方向）に貫通する貫通孔２５が設けられている。そして、柵部材２と出入口用柵部材７とは、互いに隣接する縦杆２２，７２の外端面同士をそれぞれ突き合わせた状態で連結具３の締結部材３３により連結されている。また、出入口用柵部材７の左右の縦杆７２，７２の外端面には、上下一対の凹部７２０，７２０が設けられている。この各凹部７２０内には、締結部材６１の螺子軸６３が螺合する雌ねじ部を内周面に形成した螺子筒６６が嵌入されている。そして、脚片支持体４１は、ペットゲート本体１０Ｅの左右方向端２１，７１に設けられている。出入口用柵部材７の脚片支持体４１は、縦杆７２の外端面に対し脚片支持体４１及び縦杆７２の表裏方向裏側端同士（図１１では上端同士）を互いに一致させた状態で、螺子筒６６に螺子軸６３が螺合される締結部材６１によって取り付けられている。また、柵部材２の脚片支持体４１は、縦杆２２の外端面に対し脚片支持体４１及び縦杆２２の表裏方向裏側端同士を互いに一致させた状態で、締結部材６１によって取り付けられている。
【００５５】
したがって、本実施の形態では、ペットゲート本体１０Ｅを柵部材２と出入口用柵部材７とで構成することで、ペットの行き来を許容する際にペットゲート本体１０Ｅを移動させる必要がなく、扉７９の開閉によってペットを簡単に行き来させることができる。
【００５６】
なお、本実施の形態では、左右を壁Ｋ１，Ｋ２で仕切った廊下Ｋにペットゲート１Ｅを設置したが、図１４に示すように、廊下Ｋの左右の一方の壁Ｋ１の角部と他方の壁Ｋ２の角部との間にペットゲート１Ｅが設置されていてもよい。
この場合、ペットゲート１Ｅのペットゲート本体１０Ｅは、廊下Ｋの一方の壁Ｋ１の角部よりも部屋Ｒ側に回り込んだ位置と他方の壁Ｋ２の角部との間に設置されるため、ペットゲート本体１０Ｅの一方の柵部材２（図１４では左側）の脚部４の脚片４２は、脚片支持体４１の表面（図１４では下面）にのみ固定具５を介して取り付けられ、脚片支持体４１の裏面（図１４では上面）には取り付けられていない。これにより、ペットゲート本体１０Ｅの一方の柵部材２を一方の壁Ｋ１の部屋Ｒ側面に対し平行な状態で密接させることができ、ペットゲート１Ｅの見栄えの向上を図ることができる。
【００５７】
次に、本発明の第６の実施の形態を図１５に基づいて説明する。
【００５８】
図１５は本発明の第６の実施の形態に係るペットゲートを示す平面図である。この実施の形態では、各柵部材２の互いに隣接する縦杆２２，２２の外端面同士をそれぞれ突き合わせた状態で連結したペットゲートを用いて、廊下Ｋの左右の一方の壁Ｋ１の角部と他方の壁Ｋ２の角部との間でペットの侵入を規制している。なお、前記各実施の形態と同一の部分については同じ符号を付してその詳細な説明は省略する。
【００５９】
すなわち、本実施の形態では、図１５に示すように、ペットゲート１Ｊのペットゲート本体１０Ｊは、廊下Ｋの一方の壁Ｋ１の角部よりも部屋Ｒ側に回り込んだ位置と他方の壁Ｋ２の角部よりも部屋Ｒ側に回り込んだ位置との間に設置され、部屋Ｒと廊下Ｋとの間でのペットの行き来を規制している。なお、図中Ｌは、各壁Ｋ１，Ｋ２の角部に取り付けられたコーナー建具である。
【００６０】
ペットゲート本体１０Ｊの左右方向端２１，２１の各脚片支持体４１は、双方の柵部材２の縦杆２２の外端面に対し脚片支持体４１及び縦杆２２の表裏方向表側端同士（図１５では下端同士）を互いに一致させた状態で締結部材６１により取り付けられている。そして、各脚片支持体４１の表面（図１５では下面）にのみ固定具５を介して脚片４２が取り付けられ、各脚片支持体４１の裏面（図１５では上面）には脚片４２が取り付けられていない。このとき、各脚片支持体４１の裏面は廊下Ｋの双方の壁Ｋ１，Ｋ２の部屋Ｒ側面に当接し、各柵部材２の枠体２０と壁Ｋ１，Ｋ２の部屋Ｒ側面との間に柵部材２の枠体２０の表裏方向の厚みと略一致する寸法の隙間が形成されている。
【００６１】
したがって、本実施の形態では、各柵部材２の枠体２０と壁Ｋ１，Ｋ２の部屋Ｒ側面との間に柵部材２の枠体２０の表裏方向の厚みと略一致する寸法の隙間が形成されているので、各脚片支持体４１の裏面を廊下Ｋの双方の壁Ｋ１，Ｋ２の部屋Ｒ側面に当接させた状態でペットゲート本体１０Ｊを設置しても、各柵部材２の枠体２０と壁Ｋ１，Ｋ２の部屋Ｒ側面との間の隙間に各壁Ｋ１，Ｋ２の角部のコーナー建具Ｌが円滑に収容され、各脚片支持体４１の裏面を壁Ｋ１，Ｋ２の部屋Ｒ側面に対し当接させて見栄えよくペットゲート本体１０Ｊを設置することができる。
【００６２】
次に、本発明の第７の実施の形態を図１６に基づいて説明する。
【００６３】
図１６は本発明の第７の実施の形態に係るペットゲートを示す平面図である。この実施の形態では、一方の柵部材２に代えて出入口用柵部材を適用している。なお、前記各実施の形態と同一の部分については同じ符号を付してその詳細な説明は省略する。
【００６４】
すなわち、本実施の形態では、図１６に示すように、ペットゲート１Ｋのペットゲート本体１０Ｋは、柵部材２と出入口用柵部材７とで構成されている。このペットゲート本体１０Ｋは、部屋Ｒの扉Ｚの廊下Ｋ側に壁Ｋ１に添って設置され、扉Ｚを部屋Ｒ側に開放させた際に部屋Ｒと廊下Ｋとの間でのペットの行き来を規制している。また、図中Ｍは、扉Ｚを部屋Ｒ側に開放させるヒンジであって、廊下Ｋ側に若干量（例えば１０ｍｍ程度）突出している。この場合、出入口用柵部材７の扉７９は、ペットゲート本体１０Ｋの左右方向端７１側を支点にして部屋Ｒ側へ開放するため、閉塞時に当接により位置規制する長尺材３２をペットゲート本体１０Ｋの互いに隣接する各柵部材２の縦杆２２の廊下Ｋ側に取り付けている。なお、長尺材３２は、出入口用柵部材７の柵部材２側を支点にして廊下Ｋ側へ扉７９が開放する場合にはペットゲート本体１０Ｋの互いに隣接する各柵部材２の縦杆２２の部屋Ｒ側に取り付けられるので、廊下Ｋ側から長尺材３２が隠蔽されて、ペットゲート本体１０Ｋの見栄えを高める上で有利なものとなる。
【００６５】
ペットゲート本体１０Ｋの左右方向端２１，７１の各脚片支持体４１は、双方の柵部材２，７の縦杆２２，７２の外端面に対し脚片支持体４１及び縦杆２２，７２の表裏方向表側端同士（図１６では下端同士）を互いに一致させた状態で締結部材６１により取り付けられている。そして、各脚片支持体４１の表面（図１６では下面）にのみ固定具５を介して脚片４２が取り付けられ、各脚片支持体４１の裏面（図１６では上面）には脚片４２が取り付けられていない。このとき、各脚片支持体４１の裏面は廊下Ｋの壁Ｋ１に当接し、各柵部材２，７の枠体２０，７０と壁Ｋ１との間に柵部材２，７の枠体２０，７０の表裏方向の厚みと略一致する寸法の隙間が形成されている。なお、図中Ｚ１は扉Ｚにより開閉される開口部Ｚ０を形成するための壁Ｋ１側の枠体である。
【００６６】
したがって、本実施の形態では、各柵部材２，７の枠体２０，７０と壁Ｋ１との間に柵部材２，７の枠体２０，７０の表裏方向の厚みと略一致する寸法の隙間が形成されているので、各脚片支持体４１の裏面を廊下Ｋの壁Ｋ１に当接させた状態でペットゲート本体１０Ｋを設置しても、各柵部材２，７の枠体２０，７０と壁Ｋ１との間の隙間に、廊下Ｋ側に若干量突出するヒンジＭが円滑に収容され、各脚片支持体４１の裏面を廊下Ｋの壁Ｋ１に当接させて見栄えよくペットゲート本体１０Ｋを設置することができる。
【００６７】
なお、本実施の形態では、ヒンジＭにより開閉する扉Ｚを部屋Ｒ側に開放させた際に部屋Ｒと廊下Ｋとの間でのペットの行き来をペットゲート本体１０Ｋによって規制したが、引き戸により開閉する扉の廊下側にペットゲート本体が設置されていてもよい。
【００６８】
次に、本発明の第８の実施の形態を図１７及び図１８に基づいて説明する。
【００６９】
図１７は本発明の第８の実施の形態に係るペットゲートを示す平面図、図１８はペットゲートの斜視図をそれぞれ示している。この実施の形態では、ペットゲートのペットゲート本体の構成を変更している。なお、前記各実施の形態と同一の部分については同じ符号を付してその詳細な説明は省略する。
【００７０】
すなわち、本実施の形態では、図１７及び図１８に示すように、ペットゲート１Ｆのペットゲート本体１０Ｆは、左右を壁Ｋ１，Ｋ２で仕切られた廊下Ｋに設置されている。ペットゲート本体１０Ｆは、２つの柵部材２，２と１つの出入口用柵部材７とで構成されている。
【００７１】
２つの柵部材２，２のうちの他方の柵部材２（図１７及び図１８では右側）と出入口用柵部材７とは、互いに隣接する縦杆２２，２２の外端面同士を突き合わせた状態で連結具３の締結部材３３により連結されている。他方の柵部材２と一方の柵部材２（図１７及び図１８では左側）とは、互いに一部分同士を表裏方向で重ね合わせて構成され、上下の横杆２３，２３の貫通孔２５及び連結具３の締結部材３３によって連結されている。なお、図１６では、説明の便宜上、締結部材３３を拡大した状態で示している。
【００７２】
また、締結部材６１は、各柵部材２の互いに離反する縦杆２２，２２の外端面に対し、一方の柵部材２（図１７では左側）では縦杆２２及び脚片支持体４１の表裏方向表側端（図１７では下端）同士を互いに一致させ、他方の柵部材２（図１７では右側）では縦杆２２及び脚片支持体４１の表裏方向裏側端（図１７では上端）同士を互いに一致させた状態で、脚片支持体４１の貫通孔４１０から螺子軸６３を挿通し、縦杆２２の貫通孔２２０から挿通した螺子筒６５に螺合することで、脚片支持体４１を縦杆２２の外端面に対し取り付けている。この場合、脚片４２は、各脚片支持体４１の表裏両面の下端に対しそれぞれ固定具５を介して取り付けられている。
【００７３】
したがって、本実施の形態では、２つの柵部材２，２の互いに一部分同士を表裏方向で重ね合わせた状態で締結部材３３によって連結することで、左右を壁Ｋ１，Ｋ２で仕切られた廊下Ｋの幅に応じて、出入口用柵部材７を備えたペットゲート本体１０Ｆの左右方向の長さを調整することができる。
【００７４】
次に、本発明の第９の実施の形態を図１９に基づいて説明する。
【００７５】
図１９は本発明の第７の実施の形態に係るペットゲートを示す平面図である。この実施の形態では、ペットゲートのペットゲート本体の構成を変更している。なお、前記各実施の形態と同一の部分については同じ符号を付してその詳細な説明は省略する。
【００７６】
すなわち、本実施の形態では、図１９に示すように、ペットゲート１Ｇのペットゲート本体１０Ｇは、左右を壁Ｋ１，Ｋ２で仕切られた幅広い廊下Ｋに設置され、廊下Ｋの一方の壁Ｋ１と他方の壁Ｋ２の角部よりも部屋Ｒ側に回り込んだ位置との間に位置している。ペットゲート本体１０Ｇは、２つの柵部材２，２と１つの出入口用柵部材７とで構成されている。
【００７７】
ペットゲート本体１０Ｇの左右方向端２１，７１の脚片支持体４１は、一方の柵部材２（図１９では左側）及び出入口用柵部材７の縦杆２２，７２の外端面に対し脚片支持体４１及び縦杆２２，７１の表裏方向裏側端同士（図１９では上端同士）を互いに一致させた状態で締結部材６１により取り付けられている。そして、出入口用柵部材７の脚片支持体４１には、その表裏両面に脚片４２がそれぞれ固定具５を介して取り付けられている。一方、一方の柵部材２（図１９では左側）の脚片支持体４１には、その表面（図１９では下面）にのみ脚片４２が固定具５を介して取り付けられ、裏面（図１９では上面）には脚片４２が取り付けられていない。
【００７８】
そして、各柵部材２，２及び出入口用柵部材７の互いに隣接する縦杆２２，７２の外端面同士の間には、それぞれ脚部４が介設されている。この各脚部４の脚片支持体４１のうち、柵部材２，２の互いに隣接する縦杆２２，２２の外端面同士の間の脚片支持体４１は、それぞれの縦杆２２，２２の外端面に対し脚片支持体４１及び縦杆２２，２２の表裏方向裏側端同士を互いに一致させた状態で、各縦杆２２の貫通孔２２０及び脚片支持体４１の貫通孔４１０に挿通される長尺な螺子軸（図示せず）を備えた締結部材６７によって取り付けられている。一方、他方の柵部材２（図１９では右側）及び出入口用柵部材７の互いに隣接する縦杆２２，７２の外端面同士の間の脚片支持体４１は、それぞれの縦杆２２，７２の外端面に対し脚片支持体４１及び縦杆２２，７２の表裏方向表側端同士を互いに一致させた状態で、縦杆２２の貫通孔２２０及び脚片支持体４１の貫通孔４１０に挿通されかつ螺子筒６６に螺合する長尺な螺子軸（図示せず）を備えた締結部材６８によって取り付けられている。そして、各柵部材２，２及び出入口用柵部材７の互いに隣接する縦杆２２，７２の外端面同士の間の各脚片支持体４１には、その表裏両面に脚片４２がそれぞれ固定具５を介して取り付けられている。
【００７９】
したがって、本実施の形態では、各柵部材２，２及び出入口用柵部材７の互いに隣接する縦杆２２，７２の外端面同士の間にも脚部４が設けられているので、２つの柵部材２，２及び出入口用柵部材７を略直線状に繋げた長尺なペットゲート本体１０Ｇが左右方向の途中位置で脚部４によって支持され、ペットゲート本体１０Ｇの起立状態を効率よく保持することができる。しかも、各柵部材２，２及び出入口用柵部材７がそれぞれ脚部４を挟んで連結されているので、長尺なペットゲート本体１０Ｇが各柵部材２，７間の脚部４によって補強されて柵部材２，７同士の接続強度を高めることができる上、ペットゲート本体１０Ｇの撓みを防止することもできる。
【００８０】
次に、本発明の第１０の実施の形態を図２０に基づいて説明する。
【００８１】
図２０は本発明の第１０の実施の形態に係るペットゲートを示す平面図である。この実施の形態では、ペットゲートのペットゲート本体の構成を変更している。なお、前記各実施の形態と同一の部分については同じ符号を付してその詳細な説明は省略する。
【００８２】
すなわち、本実施の形態では、図２０に示すように、ペットゲート１Ｈのペットゲート本体１０Ｈは、左右を壁Ｋ１，Ｋ２で仕切られた幅広い廊下Ｋに設置されている。ペットゲート本体１０Ｈは、２つの柵部材２，２と１つの出入口用柵部材７とで構成されている。
【００８３】
ペットゲート本体１０Ｈの左右方向端２１，７１には脚部４が設けられている。一方の柵部材２（図２０では左側）の脚片支持体４１は、柵部材２の縦杆２２の外端面に対し脚片支持体４１及び縦杆２２の表裏方向表側端同士（図２０では下端同士）を互いに一致させた状態で締結部材６１により取り付けられている。一方、出入口用柵部材７の脚片支持体４１は、出入口用柵部材７の縦杆７２の外端面に対し脚片支持体４１及び出入口用柵部材７の表裏方向裏側端同士（図２０では上端同士）を互いに一致させた状態で締結部材６１により取り付けられている。
【００８４】
また、他方の柵部材２（図２０では右側）及び出入口用柵部材７の互いに隣接する縦杆２２，７２の外端面同士の間には、脚部４が介設されている。この各脚部４の脚片支持体４１は、それぞれの縦杆２２，７２の外端面に対し脚片支持体４１及び縦杆２２，７２の表裏方向裏側端同士を互いに一致させた状態で締結部材６８によって取り付けられている。そして、ペットゲート本体１０Ｈの左右方向端２１，７１、並びに他方の柵部材２及び出入口用柵部材７の間の各脚部４の脚片支持体４１の表裏両面には、脚片４２がそれぞれ固定具５を介して取り付けられている。
【００８５】
更に、ペットゲート本体１０Ｈは、廊下Ｋの一方の壁Ｋ１と他方の壁Ｋ２の角部よりも部屋Ｒ側に回り込んだ位置との間での寸法と略一致させるように双方の柵部材２，２の一部分同士を表裏方向で重ね合わせて構成されている。双方の柵部材２，２は、当該各柵部材２の上下の横杆２３の貫通孔２５に挿通される連結具３の締結部材３３によって連結されている。
【００８６】
したがって、本実施の形態では、双方の柵部材２，２の一部分同士が表裏方向で重ね合わせた状態で連結されているので、廊下Ｋの一方の壁Ｋ１と他方の壁Ｋ２との間の幅に応じてペットゲート本体１０Ｈの左右方向の長さを調整することができる。しかも、他方の柵部材２及び出入口用柵部材７の互いに隣接する縦杆２２，７２の外端面同士の間にも脚部４を設けることで、２つの柵部材２，２及び出入口用柵部材７からなる長尺なペットゲート本体１０Ｈが左右方向の途中位置で脚部４によって支持され、ペットゲート本体１０Ｈの起立状態を効率よく保持することができる。
【００８７】
次に、本発明の第１１の実施の形態を図２１及び図２２に基づいて説明する。
【００８８】
図２１は本発明の第９の実施の形態に係るペットゲートを示す平面図、図２２はペットゲートの斜視図をそれぞれ示している。この実施の形態では、ペットゲートのペットゲート本体の構成を変更している。なお、前記各実施の形態と同一の部分については同じ符号を付してその詳細な説明は省略する。
【００８９】
すなわち、本実施の形態では、図２１及び図２２に示すように、ペットゲート１Ｉのペットゲート本体１０Ｉは、左右の壁Ｋ１，Ｋ２間で部屋Ｒを仕切るように設置されている。ペットゲート本体１０Ｉは、３つの柵部材２〜２と１つの出入口用柵部材７とで構成されている。
【００９０】
ペットゲート本体１０Ｉの左右方向端２１，２１には脚部４が設けられている。左側の柵部材２（図２１では左側）の脚片支持体４１は、この柵部材２の縦杆２２の外端面に対し当該脚片支持体４１及び縦杆２２の表裏方向表側端同士（図２１では下端同士）を互いに一致させた状態で締結部材６１により取り付けられている。一方、右側の柵部材２（図２１では右側）の脚片支持体４１は、この柵部材２の縦杆２２の外端面に対し当該脚片支持体４１及び柵部材２の表裏方向裏側端同士（図２１では上端同士）を互いに一致させた状態で締結部材６１により取り付けられている。
【００９１】
右側の柵部材２と出入口用柵部材７とは、互いに隣接する縦杆２２，７２の外端面同士を突き合わせた状態で連結具３の締結部材３３により連結されている。また、出入口用柵部材７と中央の柵部材２（図２１では中央）とは、互いに隣接する縦杆７２，２２の外端面同士を突き合わせた状態で連結具３の締結部材３３により連結されている。更に、中央の柵部材２と左側の柵部材２とは、左右の壁Ｋ１，Ｋ２間での寸法と略一致させるように互いに一部分同士を表裏方向で重ね合わせた状態で、上下の横杆２３，２３の貫通孔２５及び連結具３の締結部材３３により連結されている。
【００９２】
したがって、本実施の形態では、ペットゲート１Ｉのペットゲート本体１０Ｉは、３つの柵部材２〜２と１つの出入口用柵部材７とにより構成され、中央の柵部材２と左側の柵部材２との互いの一部分同士を表裏方向で重ね合わせることで、出入口用柵部材７の扉７９の開放時にペットの行き来を可能にしつつ部屋Ｒの左右の壁Ｋ１，Ｋ２間を自在に仕切ることができる。
【００９３】
なお、本発明は、前記各実施の形態に限定されるものではなく、その他種々の変形例を包含している。例えば前記各実施の形態では、各柵部材２の上下の横杆２３，２３に複数の貫通孔２５を例えば６ｃｍ間隔に設けたが、各柵部材の上下の横杆に２〜５ｃｍ間隔又は６ｃｍ以上の間隔で複数の貫通孔が設けられていてもよい。
【００９４】
また、柵部材２，７の個数は２〜４に限定されるものではなく、５つ以上であってもよい。
【００９５】
また、前記各実施の形態では、木製の枠体２０に柵棒体２４を備えた柵部材２を用いたが、枠体の大部分をアクリル板により覆う透明な柵部材、枠体の大部分を合板により覆う柵部材、又は枠体の大部分をメッシュ板や金属棒により覆う柵部材が用いられていてもよい。
【００９６】
更に、前記各実施の形態では、各柵部材２、出入口用柵部材７の枠体２０，７０をそれぞれ略正方形枠状に形成したが、各柵部材及び出入口用柵部材の枠体がそれぞれ長方形枠状に形成されていてもよい。
【符号の説明】
【００９７】
１Ａ〜１Ｋ      ペットゲート
１０Ａ〜１０Ｋ  ゲート本体
２              柵部材
２０            枠体
２２            縦杆
２３            横杆
４              脚部
４１            脚片支持体
４２            脚片
４２１          基端面
４２２          第１凹部
４２３          直交面
５              固定具
５１            螺子部材
５１１          突出部
５２            拘束部材
５２１          係合部
７              出入口用柵部材
７０            枠体
７２            縦杆
７３            横杆
７８            出入口
７９            扉
【図１】
2015047092.tif 000003
【図２】
2015047092.tif 000004
【図３】
2015047092.tif 000005
【図４】
2015047092.tif 000006
【図５】
2015047092.tif 000007
【図６】
2015047092.tif 000008
【図７】
2015047092.tif 000009
【図８】
2015047092.tif 000010
【図９】
2015047092.tif 000011
【図１０】
2015047092.tif 000012
【図１１】
2015047092.tif 000013
【図１２】
2015047092.tif 000014
【図１３】
2015047092.tif 000015
【図１４】
2015047092.tif 000016
【図１５】
2015047092.tif 000017
【図１６】
2015047092.tif 000018
【図１７】
2015047092.tif 000019
【図１８】
2015047092.tif 000020
【図１９】
2015047092.tif 000021
【図２０】
2015047092.tif 000022
【図２１】
2015047092.tif 000023
【図２２】
2015047092.tif 000024